(57)【特許請求の範囲】
【請求項１】
一コースおきに左右に移行してループを形成するフロント糸と、該フロント糸のループを形成しないコース毎に左右に移行し、前記フロント糸のループをくぐって細長長大ループを形成して次コースのフロント糸のループに交互に結合するミドル糸と、ループを形成しないで複数針間をつづれ状に挿入されるバック糸とからなることを特徴とするレース編地。
【発明の詳細な説明】
【０００１】
【発明の属する技術分野】
本発明は、カーテン用或いは刺繍用などとして好適なレース編地、特に、菱形の透かし目にして伸びを規制し、編目を細分化したレース編地に関するものである。
【０００２】
【従来の技術】
一般に、カーテン用或いは刺繍用のレース編地には、伸びの少ない編地が用いられる。伸びの少ない編地としては、３枚のおさを用い、そのフロント糸で鎖り編をなし、その鎖り編部間をミドル糸及びバック糸を対称的に移行させて角目状の透かし目を形成するようにしていた。この角目状の透かし目を持つレース編地は、縦方向にはしっかりとした鎖状の柱が出来る一方、横方向にはミドル糸及びバック糸が突っ張るようにして伸びにくくしていた。
【０００３】
上記角目状の透かし目を有するカーテン用レース地は、該レースを透過して室内に洩れた採光には柔らかさがなかったし、角目状の透かし目のを有する刺繍用レース地は、編目が粗過ぎて細かな柄作りが出来ないという問題があった。もっとも、柔らかな採光を得るためには、例えば、角目状の透かし目を持つレース編地でも、これをバイヤスにとって菱形の透かし目とすると光の反射との関係で透過する光には柔らかさが得られることが経験的に知られていた。
【０００４】
【発明が解決しようとする課題】
しかしながら、角目状の透かし目をバイヤスにとって菱形の透かし目にするときは、編地に多数の無駄が発生するばかりでなく、縦方向にも横方向にもしっかりとした柱が出来ず、従って、伸びに対する規制が殆どできないという問題があった。
【０００５】
本発明は、上記の問題を解消するためのもので、その目的とするところは、菱形の透かし目が簡易に得られ、しかも、縦方向・横方向の伸びがなく、しかも編目が細分化された新規なレース編地を提供することにある。
【０００６】
【課題を解決するための手段】
上記の目的を達成するため、本発明に係るレース編地は、一コースおきに左右に移行してループを形成するフロント糸と、該フロント糸のループを形成しないコース毎に左右に移行し、前記フロント糸のループをくぐって細長長大ループを形成して次コースのフロント糸のループに交互に結合するミドル糸と、ループを形成しないで複数針間をつづれ状に挿入されるバック糸とからなることを特徴とし、前記フロント糸とミドル糸とで菱形の透かし目を形成し、バック糸によりその菱形の透かし目を細分化して横方向及び縦方向の伸びを規制できるように構成した。
【０００７】
【発明の実施の態様】
次に、本発明の実施の態様を図面に基づいて説明する。図１は本願レース編地の組織図、図２は編成後の本願レース編地に形成された菱形の透かし目を略示的に示す拡大図、図３はフロント糸の軌跡を示す拡大図、図４はミドル糸の軌跡を示す拡大図、図５はバック糸の軌跡を示す拡大図、図６は菱形の透かし目の横切るバック糸の横切り方の異なる例を示す拡大図である。
【０００８】
本願レース編地１は、１コースおきに左右に移行させてループを形成するフロント糸２と、該フロント糸２のループを形成しないコース毎に左右に移行し、前記フロント糸のループをくぐって細長長大ループを形成して次コースのフロント糸のループに交互に結合するミドル糸３と、ループを形成しないで複数針間をつづれ状に挿入されるバック糸４とからなっている。
【０００９】
具体的には、図１の如く、前記フロント糸２のチェーン駒の配列は、〔２４〕〔２２〕〔２０〕〔２２〕となり、前記ミドル糸３のチェーン駒の配列は、〔４４〕〔４２〕〔００〕〔０２〕となる。そして、前記バック糸４のチェーン駒の配列は、〔６６〕〔００〕〔００〕〔６６〕となる。これらのチェーン駒の配列に従って移動することにより編成される本願レース編地１は、フロント糸２とミドル糸３との張力のバランスにより、図２の如く、組織中に菱形の透かし目５が形成されるとともに、該菱形の透かし目５をバック糸４により複数の編目５′に細分化する。
【００１０】
図３は、上記組織中のフロント糸２の軌跡であり、ジグザグ状に移動してループａを形成する。また、図４はミドル糸３の軌跡であり、ジグザグ状に細長長大ループｂが形成されている。さらに、図５はバック糸４の軌跡であり、つづれ状に走行している状態が判る。なお、図において、フロント糸２のループａは閉じ目になっているが、開き目で組織しても良いし、開き目になっているミドル糸３のループｂ閉じ目で組織しても良いことは勿論である。
【００１１】
次に、フロント糸２とミドル糸３とのかかわりを図２に基づいて説明すると、いま、図２の第Ｉコース上のフロント糸２のループａ１  をくぐり抜けたミドル糸３のループｂ１  は細長長大化して第ＩＩコースのフロント糸２のループａ２  に結合する。そして、前記第Ｉコースのループａ１  をくぐり抜けずにターンｃ１  したミドル糸３のループｂ２  は第ＩＩコースのフロント糸２のループａ２  ′をくぐり抜けて細長長大化して第ＩＩＩコースのフロント糸２のループａ３  に結合することとなる。
【００１２】
次いで、前述と同様に前記第ＩＩコースのフロント糸２のループａ２  ′をくぐり抜けずにターンｃ２  したミドル糸３のループｂ３  は第ＩＩＩコースのフロント糸２のループａ２  ″をくぐり抜けて細長長大化して第ＩＶコースのフロント糸２のループａ４  に結合することとなる。
【００１３】
このループのくぐり抜けと結合との繰り返しによりミドル糸３の細長長大ループｂ１  、ｂ２  、ｂ３  …の腹部の二本で作られる二辺Ａ、Ｂと、フロント糸２とミドル糸３とが一本づつ重なった二本で作られる二辺Ｃ、Ｄとの張力のバランスにより菱形の透かし目５が形成されることとなる。
【００１４】
しかして、前記バック糸４は前記菱形の透かし目５を対角線に横切るようにつづれ状に挿入される。このバック糸４の横張り部分４ａと縦張り部分４ｂとにより菱形の透かし目５は横方向及び縦方向の伸びが規制され、また、各透かし目５を細分化５′することとなる。
【００１５】
なお、上記実施の態様で示したバック糸４は、図１の例では、チェーン駒の配列は、〔６６〕〔００〕〔００〕〔６６〕であり、バック糸４が菱形の透かし目５の対角線上を横切るように挿入したが、図６の例では、バック糸４のチェーン駒の配列は、〔６６〕〔６６〕〔００〕〔００〕であり、バック糸４が菱形の透かし目５の上辺寄り及び下辺寄りの２個所を横切るようになる。この結果、細分化した編目５′が増えることとなる。
【００１６】
【発明の効果】
以上説明したように、本発明に係るレース編地は、一コースおきに左右に移行してループを形成するフロント糸と、該フロント糸のループを形成しないコース毎に左右に移行し、前記フロント糸のループをくぐって細長長大ループを形成して次コースのフロント糸のループに交互に結合するミドル糸と、ループを形成しないで複数針間をつづれ状に挿入されるバック糸とからなることを特徴としているから、前記フロント糸のループをミドル糸のループがくぐり抜けて細長長大化して次コースのフロント糸のループに結合することの繰り返しによって柔らかな採光が得られる菱形の透かし目が形成され、しかも、該菱形の透かし目はつづれ状に挿入されるバック糸により横方向及び縦方向の伸びが規制されることから、カーテン用レースとして好適に使用できるという優れた効果を奏する。
【００１７】
また、フロント糸とミドル糸との張力のバランスにより形成された菱形の透かし目がバック糸により細分化されることから、刺繍用レースとして使用したときは細かな柄出しも可能になるという優れた効果を奏するものである。
【図面の簡単な説明】
【図１】本願レース編地の組織図である。
【図２】編成後の本願レース編地に形成された菱形の透かし目を略示的に示す拡大図である。
【図３】編成後の本願レース編地を構成するフロント糸の軌跡を略示的に示す拡大図である。
【図４】編成後の本願レース編地を構成するミドル糸の軌跡を略示的に示す拡大図である。
【図５】編成後の本願レース編地を構成するバック糸の軌跡を略示的に示す拡大図である。
【図６】編成後の本願レース編地に形成された菱形の透かし目の横切るバック糸の横切り方の異なる例を略示的に示す拡大図である。
【符号の説明】
１  本願レース編地
２  フロント糸
３  ミドル糸
４  バック糸
４ａ  バック糸の横流れ部分
４ｂ  バック糸の縦流れ部分
５  菱形の透かし目
５′細分化された目
ａ、ａ１  、ａ２  、ａ２  ′、ａ２  ″  フロント糸ループ
ｂ、ｂ１  、ｂ２  、ｂ３    ミドル糸の細長長大ループ
ｃ１  、ｃ２    ターン
Ａ、Ｂ  菱形の透かし目の二辺
Ｃ、Ｄ  菱形の透かし目の二辺
【図１】
0003681653.tif 000002
【図２】
0003681653.tif 000003
【図３】
0003681653.tif 000004
【図４】
0003681653.tif 000005
【図５】
0003681653.tif 000006
【図６】
0003681653.tif 000007